(57)【要約】【課題】  宝くじ売場の販売員に労力を掛けなくとも、配送ミスなどが無く配送元から宝くじ売場まで宝くじ券が配送されたか否かを確認することができる機能を備えた、宝くじ券管理システムを提供する。【解決手段】  売場端末２がＩＣチップから抽せん券属性情報と配送先識別情報とを非接触により読み取り、当該読み取った抽せん券属性情報を宝くじ券管理装置１１へ送信して、配送先識別情報の通知要求を行なう。そして宝くじ券管理装置１１が、売場端末２から受信した抽せん券の属性情報に対応する配送先識別情報をデータベース１１３より読み取って、当該読み取った配送先識別情報を売場端末２へ送信する。また売場端末２が、通知要求に対応して宝くじ券管理装置１１より受信した配送先識別情報と、リーダ・ライタで読み取った配送先識別情報とが一致するか否かを確認する。【選択図】    図１
2005107713.tif 000002
【特許請求の範囲】
【請求項１】
抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、
前記抽せん券の梱包単位ごとに取り付けられた前記ＩＣチップから前記抽せん券属性情報と前記配送先識別情報とを前記配送先において非接触により読み取る配送先読み取り手段と、
前記抽せん券属性情報と前記配送先識別情報とを前記抽せん券毎に記憶する配送管理情報記憶手段と、
前記配送先に特定の前記配送先識別情報と前記配送先読み取り手段で読み取った配送先識別情報とが一致するか否かを確認する配送先確認手段と、
を備えることを特徴とする抽せん券管理システム。
【請求項２】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、
前記端末は、
前記抽せん券の梱包単位ごとに取り付けられた前記ＩＣチップから前記抽せん券属性情報と前記配送先識別情報とを非接触により読み取る配送先読み取り手段と、
当該読み取った前記抽せん券属性情報を前記抽せん券管理装置へ送信し、当該抽せん券属性情報に対応する前記配送先識別情報の通知要求を行なう配送先識別情報通知要求手段と、
前記通知要求に対応して前記抽せん券管理装置より受信した前記配送先識別情報と、前記配送先読み取り手段で読み取った配送先識別情報とが一致するか否かを確認する配送先確認手段とを備え、
前記抽せん券管理装置は、
前記抽せん券属性情報と前記配送先識別情報とを前記抽せん券毎に記憶する配送管理情報記憶手段と、
前記端末から受信した前記抽せん券の属性情報に対応する前記配送先識別情報を前記配送管理情報記憶手段より読み取って、当該読み取った配送先識別情報を前記端末へ送信する配送先識別情報通知手段と、
を備えることを特徴とする抽せん券管理システム。
【請求項３】
前記端末は、
前記通知要求に対応して前記抽せん券管理装置より受信した前記配送先識別情報と、前記配送先読み取り手段で読み取った配送先識別情報とが一致する場合に、前記配送先読み取り手段の読み取った前記抽せん券属性情報を前記抽せん券管理装置に送信して、前記抽せん券を受け取ったか否かを示す受け取り状況情報を受け取り済みを示す情報に書き換えるよう指示する受け取り状況情報書換え指示手段を備え、
前記抽せん券管理装置は、
前記受け取り状況情報を抽せん券毎に記憶する受け取り状況情報記憶手段と、
前記端末からの指示に基づいて前記受け取り状況情報を受け取り済みを示す情報に書き換える受け取り状況情報書換え手段とを備える
ことを特徴とする請求項２に記載の抽せん券管理システム。
【請求項４】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、
前記端末は、
前記抽せん券属性情報と前記配送先識別情報とを前記抽せん券毎に記憶する配送管理情報記憶手段と、
前記抽せん券の梱包単位ごとに取り付けられた前記ＩＣチップから前記抽せん券属性情報と前記配送先識別情報とを非接触により読み取る配送先読み取り手段と、
前記配送先読み取り手段で読み取った前記抽せん券属性情報と前記配送先識別情報の組合せが前記配送先管理情報記憶手段で記憶する抽せん券属性情報と配送先識別情報の組合せと一致するか否かを確認する配送先確認手段と
を備えることを特徴とする抽せん券管理システム。
【請求項５】
前記端末は、
前記配送先読み取り手段で読み取った前記抽せん券属性情報と前記配送先識別情報の組合せが前記配送先管理情報記憶手段で記憶する抽せん券属性情報と配送先識別情報の組合せと一致する場合に、前記配送先読み取り手段の読み取った前記抽せん券属性情報を前記抽せん券管理装置に送信して、前記抽せん券を受け取ったか否かを示す受け取り状況情報を受け取り済みを示す情報に書き換えるよう指示する受け取り状況情報書換え指示手段を備え、
前記抽せん券管理装置は、
前記受け取り状況情報を抽せん券毎に記憶する受け取り状況情報記憶手段と、
前記端末からの指示に基づいて前記受け取り状況情報を受け取り済みを示す情報に書き換える受け取り状況情報書換え手段とを備える
ことを特徴とする請求項４に記載の抽せん券管理システム。
【請求項６】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、
前記端末は、
前記抽せん券の梱包単位ごとに取り付けられた前記ＩＣチップから前記抽せん券属性情報と前記配送先識別情報とを非接触により読み取る配送先読み取り手段と、
当該読み取った前記抽せん券属性情報と前記配送先識別情報とを前記抽せん券管理装置へ送信し、配送先確認要求を行なう配送先確認要求手段を備え、
前記抽せん券管理装置は、
抽せん券属性情報と配送先識別情報とを前記抽せん券毎に記憶する配送管理情報記憶手段と、
前記端末より受信した抽せん券属性情報と配送先識別情報の組合せが、前記配送管理情報記憶手段で記憶している抽せん券属性情報と配送先識別情報の組合せと一致するか否かを確認する配送先確認手段と、
を備えることを特徴とする抽せん券管理システム。
【請求項７】
前記抽せん券管理装置は、
前記抽せん券を受け取ったか否かを示す受け取り状況情報を抽せん券毎に記憶する受け取り状況情報記憶手段と、
前記端末より受信した前記抽せん券属性情報と前記配送先識別情報の組合せが、前記配送管理情報記憶手段で記憶している抽せん券属性情報と配送先識別情報の組合せと一致する場合に、前記受け取り状況情報を受け取り済みを示す情報に書き換える受け取り状況情報書換え手段と、
を備えることを特徴とする請求項６に記載の抽せん券管理システム。
【請求項８】
抽せん券管理装置と抽せん券売場の端末とがネットワークを介して接続され、
前記抽せん券の販売単位ごとに取り付けられたＩＣチップの記憶する抽せん券属性情報と前記抽せん券の配送先を示す配送先識別情報とに基づいて、前記抽せん券の販売管理を行なう抽せん券管理システムであって、
前記端末は、
前記抽せん券の販売時に、前記ＩＣチップより前記抽せん券属性情報を読み取る抽せん券属性情報読み取り手段と、
当該読み取った抽せん券属性情報を前記抽せん券管理装置に通知する販売抽せん券通知手段とを備え、
前記抽せん券管理装置は、
前記抽せん券属性情報と販売済みか否かを示す販売情報とを前記抽せん券毎に記憶する販売情報記憶手段と、
前記端末から通知を受けた前記抽せん券属性情報に基づいて、当該抽せん券属性情報に対応する前記販売情報を販売済みを示す情報に書き換える販売情報書換え手段と、
を備えることを特徴とする抽せん券管理システム。
【請求項９】
抽せん券管理装置と抽せん券売場の端末とがネットワークを介して接続され、
前記抽せん券の管理単位ごとに取り付けられたＩＣチップの記憶する抽せん券属性情報と前記抽せん券の配送先を示す配送先識別情報とに基づいて、前記抽せん券の販売管理を行なう抽せん券管理システムであって、
前記端末は、
前記抽せん券管理装置より通知された売れ残りの前記抽せん券の管理単位ごとに、前記ＩＣチップより前記抽せん券属性情報を読み取る抽せん券属性情報読み取り手段と、
当該読み取った抽せん券属性情報を前記抽せん券管理装置に通知する売れ残り情報通知手段とを備え、
前記抽せん券管理装置は、
前記抽せん券属性情報と前記配送先識別情報と販売済みか否かを示す販売情報とを前記抽せん券毎に記憶する販売情報記憶手段と、
売れ残っている抽せん券を前記販売情報記憶手段から読み取って前記端末に通知する売れ残り抽せん券通知手段と、
配送した抽せん券のうち規定値以上の抽せん券が販売済みとなった配送先を前記配送先識別情報と前記販売情報に基づいて検出する不足配送先検出手段と、
前記端末から通知を受けた前記抽せん券属性情報に対応付けられて前記販売情報記憶手段に記録されている配送先識別情報を、前記不足配送先検出手段の検出した配送先の配送先識別情報に変更する振り替え手段と、
を備えることを特徴とする抽せん券管理システム。
【請求項１０】
抽せん券管理装置と抽せん券売場の端末とがネットワークを介して接続され、
前記抽せん券ごとに取り付けられたＩＣチップの記憶する抽せん券属性情報に基づいて、前記抽せん券の当せん照合を行なう抽せん券管理システムであって、
前記端末は、
前記ＩＣチップより前記抽せん券属性情報を読み取る抽せん券属性情報読み取り手段と、
当該読み取った抽せん券属性情報を前記抽せん券管理装置に通知する当せん照合依頼通知手段とを備え、
前記抽せん券管理装置は、
前記抽せん券毎に前記抽せん券属性情報と当せんか否かを示す当せん情報を対応付けて記憶する当せん情報記憶手段と、
前記端末から通知を受けた前記抽せん券属性情報が前記当せん情報記憶手段に記録されているか否かを確認して当せん照合を行なう当せん照合手段と、
を備えることを特徴とする抽せん券管理システム。
【請求項１１】
前記抽せん券属性情報と前記配送先識別情報とを前記抽せん券毎に記憶する配送管理情報記憶手段を備え、また抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、
前記抽せん券の梱包単位ごとに取り付けられた前記ＩＣチップから前記抽せん券属性情報と前記配送先識別情報とを前記配送先において非接触により読み取る配送先読み取り過程と、
前記配送先に特定の前記配送先識別情報と前記配送先読み取り手段で読み取った配送先識別情報とが一致するか否かを確認する配送先確認過程と、
を有することを特徴とする抽せん券管理方法。
【請求項１２】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、
前記端末が、前記抽せん券の梱包単位ごとに取り付けられた前記ＩＣチップから前記抽せん券属性情報と前記配送先識別情報とを非接触により読み取る配送先読み取り過程と、
前記端末が、当該読み取った前記抽せん券属性情報を前記抽せん券管理装置へ送信し、当該抽せん券属性情報に対応する前記配送先識別情報の通知要求を行なう配送先識別情報通知要求過程と、
前記抽せん券属性情報と前記配送先識別情報とを前記抽せん券毎に記憶する配送管理情報記憶手段を備えた前記抽せん券管理装置が、前記端末から受信した前記抽せん券の属性情報に対応する前記配送先識別情報を前記配送管理情報記憶手段より読み取って、当該読み取った配送先識別情報を前記端末へ送信する配送先識別情報通知過程と、
前記端末が、前記通知要求に対応して前記抽せん券管理装置より受信した前記配送先識別情報と、前記配送先読み取り手段で読み取った配送先識別情報とが一致するか否かを確認する配送先確認過程と、
を有することを特徴とする抽せん券管理方法。
【請求項１３】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、
前記端末が、前記抽せん券属性情報と前記配送先識別情報とを前記抽せん券毎に記憶する配送管理情報記憶手段を備え、
前記端末が、前記抽せん券の梱包単位ごとに取り付けられた前記ＩＣチップから前記抽せん券属性情報と前記配送先識別情報とを非接触により読み取る配送先読み取り過程と、
前記配送先読み取り過程において読み取った前記抽せん券属性情報と前記配送先識別情報の組合せが、前記配送先管理情報記憶手段で記憶する抽せん券属性情報と配送先識別情報の組合せと一致するか否かを確認する配送先確認過程と
を有することを特徴とする抽せん券管理方法。
【請求項１４】
抽せん券管理装置と抽せん券売場の端末とがネットワークを介して接続され、
前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、
前記端末が、前記抽せん券の梱包単位ごとに取り付けられた前記ＩＣチップから前記抽せん券属性情報と前記配送先識別情報とを非接触により読み取る配送先読み取り過程と、
前記端末が、当該読み取った前記抽せん券属性情報と前記配送先識別情報とを前記抽せん券管理装置へ送信し、配送先確認要求を行なう配送先確認要求過程とを有し、
前記抽せん券属性情報と前記配送先識別情報とを前記抽せん券毎に記憶する配送管理情報記憶手段を備えた前記抽せん券管理装置が、前記端末より受信した抽せん券属性情報と配送先識別情報の組合せが、前記配送管理情報記憶手段で記憶している抽せん券属性情報と配送先識別情報の組合せと一致するか否かを確認する配送先確認過程
を有することを特徴とする抽せん券管理方法。
【請求項１５】
抽せん券管理装置と抽せん券売場の端末とがネットワークを介して接続され、
前記抽せん券の販売単位ごとに取り付けられたＩＣチップの記憶する抽せん券属性情報と前記抽せん券の配送先を示す配送先識別情報とに基づいて、前記抽せん券の販売管理を行なう抽せん券管理システムにおける抽せん券管理方法であって、
前記端末が、前記抽せん券の販売時に、前記ＩＣチップより前記抽せん券属性情報を読み取る抽せん券属性情報読み取り過程と、
前記端末が、当該読み取った抽せん券属性情報を前記抽せん券管理装置に通知する販売抽せん券通知過程と、
前記抽せん券属性情報と販売済みか否かを示す販売情報とを前記抽せん券毎に記憶する販売情報記憶手段を備えた前記抽せん券管理装置が、前記端末から通知を受けた前記抽せん券属性情報に基づいて、当該抽せん券属性情報に対応する前記販売情報を販売済みを示す情報に書き換える販売情報書換え過程と、
を有することを特徴とする抽せん券管理方法。
【請求項１６】
抽せん券管理装置と抽せん券売場の端末とがネットワークを介して接続され、
前記抽せん券の管理単位ごとに取り付けられたＩＣチップの記憶する抽せん券属性情報と前記抽せん券の配送先を示す配送先識別情報とに基づいて、前記抽せん券の販売管理を行なう抽せん券管理システムにおける抽せん券管理方法であって、
前記抽せん券属性情報と前記配送先識別情報と販売済みか否かを示す販売情報とを前記抽せん券毎に記憶する販売情報記憶手段を備えた前記抽せん券管理装置が、売れ残っている抽せん券を前記販売情報記憶手段から読み取って前記端末に通知する売れ残り抽せん券通知過程と、
前記端末が、前記抽せん券管理装置より通知された売れ残りの前記抽せん券の管理単位ごとに、前記ＩＣチップより前記抽せん券属性情報を読み取る抽せん券属性情報読み取り過程と、
前記端末が、当該読み取った抽せん券属性情報を前記抽せん券管理装置に通知する売れ残り情報通知過程と、
前記抽せん券管理装置が、配送した抽せん券のうち規定値以上の抽せん券が販売済みとなった配送先を前記配送先識別情報と前記販売情報に基づいて検出する不足配送先検出過程と、
前記抽せん券管理装置が、前記端末から通知を受けた前記抽せん券属性情報に対応付けられて前記販売情報記憶手段に記録されている配送先識別情報を、前記不足配送先検出手段の検出した配送先の配送先識別情報に変更する振り替え過程と、
を有することを特徴とする抽せん券管理方法。
【請求項１７】
抽せん券管理装置と抽せん券売場の端末とがネットワークを介して接続され、
前記抽せん券ごとに取り付けられたＩＣチップの記憶する抽せん券属性情報に基づいて、前記抽せん券の当せん照合を行なう抽せん券管理システムにおける抽せん券管理方法であって、
前記端末が、前記ＩＣチップより前記抽せん券属性情報を読み取る抽せん券属性情報読み取り過程と、
前記端末が、当該読み取った抽せん券属性情報を前記抽せん券管理装置に通知する当せん照合依頼通知過程と、
前記抽せん券毎に前記抽せん券属性情報と当せんか否かを示す当せん情報を対応付けて記憶する当せん情報記憶手段を備えた前記抽せん券管理装置が、前記端末から通知を受けた前記抽せん券属性情報が前記当せん情報記憶手段に記録されているか否かを確認して当せん照合を行なう当せん照合過程と、
を有することを特徴とする抽せん券管理方法。
【発明の詳細な説明】
【技術分野】
【０００１】
本発明は、コンピュータシステムに係わり、特に、宝くじ券管理システムおよび宝くじ券管理方法並びにそのプログラムに関するものである。
【背景技術】
【０００２】
従来より、宝くじ券の販売元（宝くじの販売を受託した銀行など）が宝くじ券を宝くじ売場などに配送する場合、配送元は、宝くじ券を袋詰し、また複数の袋を束にして箱詰めし、当該箱に配送先の宝くじ売場を示すラベルやバーコードを添付している。そして、箱に添付されたラベルやバーコードに基づいて宝くじ券の詰められた箱が宝くじ売場へ配送される。また宝くじ券の配送元は、箱に添付したラベルやバーコードが示す宝くじ売場の情報と箱に詰めた宝くじ券の情報とを対応付けたデータを宝くじ売場へ通信ネットワークなどを介して送信する。そして、宝くじ売場の販売員は、配送された箱に梱包されている宝くじ券と、通信ネットワークを介して配送元から送信されたデータとを照合して、販売店に配送されるべき宝くじ券が配送ミスなどがなく配送されているかどうかを確認している（例えば、特許文献１参照）。
【特許文献１】特開２００２−１２３６４４号公報
【発明の開示】
【発明が解決しようとする課題】
【０００３】
しかしながら、上述の宝くじ券の管理方法では、箱に詰められた宝くじ券の全てについて配送ミスなどが無く配送されているかどうかを確認する為には、箱を開封して、中身をデータと照合する必要が出てくるので、販売員に大変な労力を掛けることになってしまう。また上述の方法によって箱に詰められた宝くじ券が問題なく配送されているか否かを確認することは、宝くじ売場に配送される宝くじ券が多いので現実的に不可能である。
【０００４】
そこでこの発明は、宝くじ売場の販売員に労力を掛けなくとも、配送ミスなどが無く配送元から宝くじ売場まで宝くじ券が配送されたか否かを確認することができる機能を備えた、宝くじ券管理システムおよび宝くじ券管理方法を提供することを目的としている。
【課題を解決するための手段】
【０００５】
本発明は、上述の課題を解決すべくなされたもので、抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、前記抽せん券の梱包単位ごとに取り付けられた前記ＩＣチップから前記抽せん券属性情報と前記配送先識別情報とを前記配送先において非接触により読み取る配送先読み取り手段と、前記抽せん券属性情報と前記配送先識別情報とを前記抽せん券毎に記憶する配送管理情報記憶手段と、前記配送先に特定の前記配送先識別情報と前記配送先読み取り手段で読み取った配送先識別情報とが一致するか否かを確認する配送先確認手段とを備えることを特徴とする抽せん券管理システム。
【０００６】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、前記端末は、前記抽せん券の梱包単位ごとに取り付けられた前記ＩＣチップから前記抽せん券属性情報と前記配送先識別情報とを非接触により読み取る配送先読み取り手段と、当該読み取った前記抽せん券属性情報を前記抽せん券管理装置へ送信し、当該抽せん券属性情報に対応する前記配送先識別情報の通知要求を行なう配送先識別情報通知要求手段と、前記通知要求に対応して前記抽せん券管理装置より受信した前記配送先識別情報と、前記配送先読み取り手段で読み取った配送先識別情報とが一致するか否かを確認する配送先確認手段とを備え、前記抽せん券管理装置は、前記抽せん券属性情報と前記配送先識別情報とを前記抽せん券毎に記憶する配送管理情報記憶手段と、前記端末から受信した前記抽せん券の属性情報に対応する前記配送先識別情報を前記配送管理情報記憶手段より読み取って、当該読み取った配送先識別情報を前記端末へ送信する配送先識別情報通知手段とを備えることを特徴とする抽せん券管理システムである。
【０００７】
また本発明は、上述の抽せん券管理システムにおいて、前記端末は、前記通知要求に対応して前記抽せん券管理装置より受信した前記配送先識別情報と、前記配送先読み取り手段で読み取った配送先識別情報とが一致する場合に、前記配送先読み取り手段の読み取った前記抽せん券属性情報を前記抽せん券管理装置に送信して、前記抽せん券を受け取ったか否かを示す受け取り状況情報を受け取り済みを示す情報に書き換えるよう指示する受け取り状況情報書換え指示手段を備え、前記抽せん券管理装置は、前記受け取り状況情報を抽せん券毎に記憶する受け取り状況情報記憶手段と、前記端末からの指示に基づいて前記受け取り状況情報を受け取り済みを示す情報に書き換える受け取り状況情報書換え手段とを備えることを特徴とする。
【０００８】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、前記端末は、前記抽せん券属性情報と前記配送先識別情報とを前記抽せん券毎に記憶する配送管理情報記憶手段と、前記抽せん券の梱包単位ごとに取り付けられた前記ＩＣチップから前記抽せん券属性情報と前記配送先識別情報とを非接触により読み取る配送先読み取り手段と、前記配送先読み取り手段で読み取った前記抽せん券属性情報と前記配送先識別情報の組合せが前記配送先管理情報記憶手段で記憶する抽せん券属性情報と配送先識別情報の組合せと一致するか否かを確認する配送先確認手段とを備えることを特徴とする抽せん券管理システムである。
【０００９】
また本発明は、上述の抽せん券管理システムにおいて、前記端末は、前記配送先読み取り手段で読み取った前記抽せん券属性情報と前記配送先識別情報の組合せが前記配送先管理情報記憶手段で記憶する抽せん券属性情報と配送先識別情報の組合せと一致する場合に、前記配送先読み取り手段の読み取った前記抽せん券属性情報を前記抽せん券管理装置に送信して、前記抽せん券を受け取ったか否かを示す受け取り状況情報を受け取り済みを示す情報に書き換えるよう指示する受け取り状況情報書換え指示手段を備え、前記抽せん券管理装置は、前記受け取り状況情報を抽せん券毎に記憶する受け取り状況情報記憶手段と、前記端末からの指示に基づいて前記受け取り状況情報を受け取り済みを示す情報に書き換える受け取り状況情報書換え手段とを備えることを特徴とする。
【００１０】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムであって、前記端末は、前記抽せん券の梱包単位ごとに取り付けられた前記ＩＣチップから前記抽せん券属性情報と前記配送先識別情報とを非接触により読み取る配送先読み取り手段と、当該読み取った前記抽せん券属性情報と前記配送先識別情報とを前記抽せん券管理装置へ送信し、配送先確認要求を行なう配送先確認要求手段を備え、前記抽せん券管理装置は、抽せん券属性情報と配送先識別情報とを前記抽せん券毎に記憶する配送管理情報記憶手段と、前記端末より受信した抽せん券属性情報と配送先識別情報の組合せが、前記配送管理情報記憶手段で記憶している抽せん券属性情報と配送先識別情報の組合せと一致するか否かを確認する配送先確認手段とを備えることを特徴とする抽せん券管理システムである。
【００１１】
また本発明は、上述の抽せん券管理システムにおいて、前記抽せん券管理装置は、前記抽せん券を受け取ったか否かを示す受け取り状況情報を抽せん券毎に記憶する受け取り状況情報記憶手段と、前記端末より受信した前記抽せん券属性情報と前記配送先識別情報の組合せが、前記配送管理情報記憶手段で記憶している抽せん券属性情報と配送先識別情報の組合せと一致する場合に、前記受け取り状況情報を受け取り済みを示す情報に書き換える受け取り状況情報書換え手段と、を備えることを特徴とする。
【００１２】
また本発明は、抽せん券管理装置と抽せん券売場の端末とがネットワークを介して接続され、前記抽せん券の販売単位ごとに取り付けられたＩＣチップの記憶する抽せん券属性情報と前記抽せん券の配送先を示す配送先識別情報とに基づいて、前記抽せん券の販売管理を行なう抽せん券管理システムであって、前記端末は、前記抽せん券の販売時に、前記ＩＣチップより前記抽せん券属性情報を読み取る抽せん券属性情報読み取り手段と、当該読み取った抽せん券属性情報を前記抽せん券管理装置に通知する販売抽せん券通知手段とを備え、前記抽せん券管理装置は、前記抽せん券属性情報と販売済みか否かを示す販売情報とを前記抽せん券毎に記憶する販売情報記憶手段と、前記端末から通知を受けた前記抽せん券属性情報に基づいて、当該抽せん券属性情報に対応する前記販売情報を販売済みを示す情報に書き換える販売情報書換え手段とを備えることを特徴とする抽せん券管理システムである。
【００１３】
また本発明は、抽せん券管理装置と抽せん券売場の端末とがネットワークを介して接続され、前記抽せん券の管理単位ごとに取り付けられたＩＣチップの記憶する抽せん券属性情報と前記抽せん券の配送先を示す配送先識別情報とに基づいて、前記抽せん券の販売管理を行なう抽せん券管理システムであって、前記端末は、前記抽せん券管理装置より通知された売れ残りの前記抽せん券の管理単位ごとに、前記ＩＣチップより前記抽せん券属性情報を読み取る抽せん券属性情報読み取り手段と、当該読み取った抽せん券属性情報を前記抽せん券管理装置に通知する売れ残り情報通知手段とを備え、前記抽せん券管理装置は、前記抽せん券属性情報と前記配送先識別情報と販売済みか否かを示す販売情報とを前記抽せん券毎に記憶する販売情報記憶手段と、売れ残っている抽せん券を前記販売情報記憶手段から読み取って前記端末に通知する売れ残り抽せん券通知手段と、配送した抽せん券のうち規定値以上の抽せん券が販売済みとなった配送先を前記配送先識別情報と前記販売情報に基づいて検出する不足配送先検出手段と、前記端末から通知を受けた前記抽せん券属性情報に対応付けられて前記販売情報記憶手段に記録されている配送先識別情報を、前記不足配送先検出手段の検出した配送先の配送先識別情報に変更する振り替え手段とを備えることを特徴とする抽せん券管理システムである。
【００１４】
また本発明は、抽せん券管理装置と抽せん券売場の端末とがネットワークを介して接続され、前記抽せん券ごとに取り付けられたＩＣチップの記憶する抽せん券属性情報に基づいて、前記抽せん券の当せん照合を行なう抽せん券管理システムであって、前記端末は、前記ＩＣチップより前記抽せん券属性情報を読み取る抽せん券属性情報読み取り手段と、当該読み取った抽せん券属性情報を前記抽せん券管理装置に通知する当せん照合依頼通知手段とを備え、前記抽せん券管理装置は、前記抽せん券毎に前記抽せん券属性情報と当せんか否かを示す当せん情報を対応付けて記憶する当せん情報記憶手段と、前記端末から通知を受けた前記抽せん券属性情報が前記当せん情報記憶手段に記録されているか否かを確認して当せん照合を行なう当せん照合手段とを備えることを特徴とする抽せん券管理システムである。
【００１５】
また本発明は、前記抽せん券属性情報と前記配送先識別情報とを前記抽せん券毎に記憶する配送管理情報記憶手段を備え、また抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、前記抽せん券の梱包単位ごとに取り付けられた前記ＩＣチップから前記抽せん券属性情報と前記配送先識別情報とを前記配送先において非接触により読み取る配送先読み取り過程と、前記配送先に特定の前記配送先識別情報と前記配送先読み取り手段で読み取った配送先識別情報とが一致するか否かを確認する配送先確認過程とを有することを特徴とする抽せん券管理方法である。
【００１６】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、前記端末が、前記抽せん券の梱包単位ごとに取り付けられた前記ＩＣチップから前記抽せん券属性情報と前記配送先識別情報とを非接触により読み取る配送先読み取り過程と、前記端末が、当該読み取った前記抽せん券属性情報を前記抽せん券管理装置へ送信し、当該抽せん券属性情報に対応する前記配送先識別情報の通知要求を行なう配送先識別情報通知要求過程と、前記抽せん券属性情報と前記配送先識別情報とを前記抽せん券毎に記憶する配送管理情報記憶手段を備えた前記抽せん券管理装置が、前記端末から受信した前記抽せん券の属性情報に対応する前記配送先識別情報を前記配送管理情報記憶手段より読み取って、当該読み取った配送先識別情報を前記端末へ送信する配送先識別情報通知過程と、前記端末が、前記通知要求に対応して前記抽せん券管理装置より受信した前記配送先識別情報と、前記配送先読み取り手段で読み取った配送先識別情報とが一致するか否かを確認する配送先確認過程とを有することを特徴とする抽せん券管理方法である。
【００１７】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、前記端末が、前記抽せん券属性情報と前記配送先識別情報とを前記抽せん券毎に記憶する配送管理情報記憶手段を備え、前記端末が、前記抽せん券の梱包単位ごとに取り付けられた前記ＩＣチップから前記抽せん券属性情報と前記配送先識別情報とを非接触により読み取る配送先読み取り過程と、前記配送先読み取り過程において読み取った前記抽せん券属性情報と前記配送先識別情報の組合せが、前記配送先管理情報記憶手段で記憶する抽せん券属性情報と配送先識別情報の組合せと一致するか否かを確認する配送先確認過程とを有することを特徴とする抽せん券管理方法である。
【００１８】
また本発明は、抽せん券管理装置と抽せん券売場の端末とがネットワークを介して接続され、前記抽せん券の梱包単位ごとに取り付けられたＩＣチップで記憶する抽せん券属性情報と前記抽せん券の配送先を示す配送先識別情報とに基づいて、前記抽せん券の配送管理を行なう抽せん券管理システムにおける抽せん券管理方法であって、前記端末が、前記抽せん券の梱包単位ごとに取り付けられた前記ＩＣチップから前記抽せん券属性情報と前記配送先識別情報とを非接触により読み取る配送先読み取り過程と、前記端末が、当該読み取った前記抽せん券属性情報と前記配送先識別情報とを前記抽せん券管理装置へ送信し、配送先確認要求を行なう配送先確認要求過程とを有し、前記抽せん券属性情報と前記配送先識別情報とを前記抽せん券毎に記憶する配送管理情報記憶手段を備えた前記抽せん券管理装置が、前記端末より受信した抽せん券属性情報と配送先識別情報の組合せが、前記配送管理情報記憶手段で記憶している抽せん券属性情報と配送先識別情報の組合せと一致するか否かを確認する配送先確認過程を有することを特徴とする抽せん券管理方法。
【００１９】
また本発明は、抽せん券管理装置と抽せん券売場の端末とがネットワークを介して接続され、前記抽せん券の販売単位ごとに取り付けられたＩＣチップの記憶する抽せん券属性情報と前記抽せん券の配送先を示す配送先識別情報とに基づいて、前記抽せん券の販売管理を行なう抽せん券管理システムにおける抽せん券管理方法であって、前記端末が、前記抽せん券の販売時に、前記ＩＣチップより前記抽せん券属性情報を読み取る抽せん券属性情報読み取り過程と、前記端末が、当該読み取った抽せん券属性情報を前記抽せん券管理装置に通知する販売抽せん券通知過程と、前記抽せん券属性情報と販売済みか否かを示す販売情報とを前記抽せん券毎に記憶する販売情報記憶手段を備えた前記抽せん券管理装置が、前記端末から通知を受けた前記抽せん券属性情報に基づいて、当該抽せん券属性情報に対応する前記販売情報を販売済みを示す情報に書き換える販売情報書換え過程とを有することを特徴とする抽せん券管理方法である。
【００２０】
また本発明は、抽せん券管理装置と抽せん券売場の端末とがネットワークを介して接続され、前記抽せん券の管理単位ごとに取り付けられたＩＣチップの記憶する抽せん券属性情報と前記抽せん券の配送先を示す配送先識別情報とに基づいて、前記抽せん券の販売管理を行なう抽せん券管理システムにおける抽せん券管理方法であって、前記抽せん券属性情報と前記配送先識別情報と販売済みか否かを示す販売情報とを前記抽せん券毎に記憶する販売情報記憶手段を備えた前記抽せん券管理装置が、売れ残っている抽せん券を前記販売情報記憶手段から読み取って前記端末に通知する売れ残り抽せん券通知過程と、前記端末が、前記抽せん券管理装置より通知された売れ残りの前記抽せん券の管理単位ごとに、前記ＩＣチップより前記抽せん券属性情報を読み取る抽せん券属性情報読み取り過程と、前記端末が、当該読み取った抽せん券属性情報を前記抽せん券管理装置に通知する売れ残り情報通知過程と、前記抽せん券管理装置が、配送した抽せん券のうち規定値以上の抽せん券が販売済みとなった配送先を前記配送先識別情報と前記販売情報に基づいて検出する不足配送先検出過程と、前記抽せん券管理装置が、前記端末から通知を受けた前記抽せん券属性情報に対応付けられて前記販売情報記憶手段に記録されている配送先識別情報を、前記不足配送先検出手段の検出した配送先の配送先識別情報に変更する振り替え過程と、を有することを特徴とする抽せん券管理方法である。
【００２１】
また本発明は、抽せん券管理装置と抽せん券売場の端末とがネットワークを介して接続され、前記抽せん券ごとに取り付けられたＩＣチップの記憶する抽せん券属性情報に基づいて、前記抽せん券の当せん照合を行なう抽せん券管理システムにおける抽せん券管理方法であって、前記端末が、前記ＩＣチップより前記抽せん券属性情報を読み取る抽せん券属性情報読み取り過程と、前記端末が、当該読み取った抽せん券属性情報を前記抽せん券管理装置に通知する当せん照合依頼通知過程と、前記抽せん券毎に前記抽せん券属性情報と当せんか否かを示す当せん情報を対応付けて記憶する当せん情報記憶手段を備えた前記抽せん券管理装置が、前記端末から通知を受けた前記抽せん券属性情報が前記当せん情報記憶手段に記録されているか否かを確認して当せん照合を行なう当せん照合過程とを有することを特徴とする抽せん券管理方法である。
【発明の効果】
【００２２】
本発明によれば、配送先読み取り手段が、抽せん券の梱包単位ごとに取り付けられたＩＣチップから抽せん券属性情報と配送先識別情報とを配送先において非接触により読み取る。配送管理情報記憶手段が抽せん券属性情報と配送先識別情報とを抽せん券毎に記憶している。そして、配送先確認手段は配送先に特定の配送先識別情報と配送先読み取り手段で読み取った配送先識別情報とが一致するか否かを確認する。これにより、箱に梱包されたＩＣチップの情報を配送先において非接触により読み取るので、箱に梱包された抽せん券の属性情報と配送先識別情報を箱を開封することなく読み取ることができ、また当該読み取った抽せん券属性情報と配送先識別情報の組合せが、配送管理情報記憶手段で記憶する組合せと一致するか否かを確認することができるので、配送先の抽せん券の販売員に労力を掛けなくとも、配送ミスなどが無く配送元から配送先まで宝くじ券が配送されたか否かを確認することができる。
【００２３】
本発明によれば、端末が、抽せん券の梱包単位ごとに取り付けられた前記ＩＣチップから抽せん券属性情報と配送先識別情報とを非接触により読み取り、当該読み取った抽せん券属性情報を抽せん券管理装置へ送信して、配送先識別情報の通知要求を行なう。そして抽せん券管理装置が、端末から受信した抽せん券の属性情報に対応する配送先識別情報を配送管理情報記憶手段より読み取って、当該読み取った配送先識別情報を端末へ送信する。また端末が、通知要求に対応して抽せん券管理装置より受信した配送先識別情報と、配送先読み取り手段で読み取った配送先識別情報とが一致するか否かを確認する。これにより、箱に梱包されたＩＣチップの情報を非接触により読み取るので、箱に梱包された抽せん券の属性情報と配送先識別情報を箱を開封することなく読み取ることができ、また当該読み取った抽せん券属性情報と配送先識別情報の組合せが、抽せん券管理装置で記憶する組合せと一致するか否かを確認することができるので、宝くじ売場の販売員に労力を掛けなくとも、配送ミスなどが無く配送元から宝くじ売場まで宝くじ券が配送されたか否かを確認することができる。
【００２４】
また、本発明によれば、端末が、通知要求に対応して抽せん券管理装置より受信した配送先識別情報と、配送先読み取り手段で読み取った配送先識別情報とが一致する場合に、配送先読み取り手段の読み取った抽せん券属性情報を抽せん券管理装置に送信して、受け取り状況情報を受け取り済みを示す情報に書き換えるよう指示し、また抽せん券管理装置が、端末からの指示に基づいて受け取り状況情報を受け取り済みを示す情報に書き換える。これにより、抽せん券管理装置の配送管理情報記憶手段に記録された受け取り状況情報を確認すれば、どの抽せん券が配送ミスとなったかや紛失したかを把握することができる。
【００２５】
本発明によれば、端末が、抽せん券属性情報と配送先識別情報とを抽せん券毎に記憶する配送管理情報記憶手段を備え、抽せん券の梱包単位ごとに取り付けられたＩＣチップから抽せん券属性情報と配送先識別情報とを非接触により読み取り、その読み取った抽せん券属性情報と配送先識別情報の組合せが配送先管理情報記憶手段で記憶する抽せん券属性情報と配送先識別情報の組合せと一致するか否かを確認する。これにより、箱に梱包されたＩＣチップの情報を非接触により読み取るので、箱に梱包された抽せん券の属性情報と配送先識別情報を箱を開封することなく読み取ることができ、また当該読み取った抽せん券属性情報と配送先識別情報の組合せが、端末で記憶する組合せと一致するか否かを確認することができるので、宝くじ売場の販売員に労力を掛けなくとも、配送ミスなどが無く配送元から宝くじ売場まで宝くじ券が配送されたか否かを確認することができる。
【００２６】
また、本発明によれば、端末が、配送先読み取り手段で読み取った抽せん券属性情報と配送先識別情報の組合せが配送先管理情報記憶手段で記憶する抽せん券属性情報と配送先識別情報の組合せと一致する場合に、配送先読み取り手段の読み取った抽せん券属性情報を抽せん券管理装置に送信して、抽せん券を受け取ったか否かを示す受け取り状況情報を受け取り済みを示す情報に書き換えるよう指示する。そして抽せん券管理装置は、端末からの指示に基づいて受け取り状況情報を受け取り済みを示す情報に書き換える。これにより、抽せん券管理装置の配送管理情報記憶手段に記録された受け取り状況情報を確認すれば、どの抽せん券が配送ミスとなったかや紛失したかを把握することができる。
【００２７】
本発明によれば、端末が、抽せん券の梱包単位ごとに取り付けられたＩＣチップから抽せん券属性情報と配送先識別情報とを非接触により読み取り、当該読み取った抽せん券属性情報と配送先識別情報とを抽せん券管理装置へ送信する。そして抽せん券管理装置が、端末より受信した抽せん券属性情報と配送先識別情報の組合せが、配送管理情報記憶手段で記憶している抽せん券属性情報と配送先識別情報の組合せと一致するか否かを確認する。これにより、箱に梱包されたＩＣチップの情報を非接触により読み取るので、箱に梱包された抽せん券の属性情報と配送先識別情報を箱を開封することなく読み取ることができ、また当該読み取った抽せん券属性情報と配送先識別情報の組合せが、抽せん券管理装置で記憶する組合せと一致するか否かを確認することができるので、宝くじ売場の販売員に労力を掛けなくとも、配送ミスなどが無く配送元から宝くじ売場まで宝くじ券が配送されたか否かを確認することができる。
【００２８】
また、本発明によれば、抽せん券管理装置が、端末より受信した抽せん券属性情報と配送先識別情報の組合せが、配送管理情報記憶手段で記憶している抽せん券属性情報と配送先識別情報の組合せと一致する場合に、受け取り状況情報を受け取り済みを示す情報に書き換える。これにより、抽せん券管理装置の配送管理情報記憶手段に記録された受け取り状況情報を確認すれば、どの抽せん券が配送ミスとなったかや紛失したかを把握することができる。
【００２９】
また、本発明によれば、端末が、抽せん券の販売時に、販売単位ごとに取り付けられたＩＣチップより抽せん券属性情報を読み取り、当該読み取った抽せん券属性情報を抽せん券管理装置に通知する。そして、抽せん券管理装置が、端末から通知を受けた抽せん券属性情報に基づいて、当該抽せん券属性情報に対応する販売情報を販売済みを示す情報に書き換える。これにより、抽せん券毎に販売したか否かを抽せん券管理装置で記録するので、どの配送先でどの程度の抽せん券が販売されたかを確認することが出来る。
【００３０】
また、本発明によれば、抽せん券管理装置が、売れ残っている抽せん券を販売情報記憶手段から読み取って端末に通知し、端末が、抽せん券管理装置より通知された売れ残りの抽せん券の管理単位ごとに、ＩＣチップより抽せん券属性情報を読み取り、当該読み取った抽せん券属性情報を抽せん券管理装置に通知する。また抽せん券管理装置が、配送した抽せん券のうち規定値以上の抽せん券が販売済みとなった配送先を配送先識別情報と販売情報に基づいて検出し、端末から通知を受けた抽せん券属性情報に対応付けられて販売情報記憶手段に記録されている配送先識別情報を、不足配送先検出手段の検出した配送先の配送先識別情報に変更する。これにより、売れ残った抽せん券を他の抽せん券売場に振り替える管理を行なうことができる。
【００３１】
また、本発明によれば、端末が、ＩＣチップより抽せん券属性情報を読み取り、当該読み取った抽せん券属性情報を抽せん券管理装置に通知する。そして抽せん券管理装置が、端末から通知を受けた抽せん券属性情報が当せん情報記憶手段に記録されているか否かを確認して当せん照合を行なう。これにより、抽せん券売場において即時に抽せん券が当せんか否かを確認することが出来る。
【発明を実施するための最良の形態】
【００３２】
以下、本発明の実施形態による宝くじ券管理システムを図面を参照して説明する。図１は同実施形態による宝くじ券管理システムの構成を示すブロック図である。
この図において、符号１は、宝くじ券（抽せん券）の販売元である。宝くじ券の販売元１は、１枚１枚にＩＣチップの埋め込まれた宝くじ券を宝くじ売場へ配送する。また符号２は宝くじ売場で有している売場端末である。また３は販売元１の依頼に基づいて宝くじ券を製造する製造元である。また販売元１において、符号１１は宝くじ券の抽せん番号毎に、宝くじ券の配送先の情報や、宝くじ券の属性情報（例えば、抽せん番号や組番号や販売済みか否かの情報など）をデータベースに記憶し、また、宝くじ券の管理処理を行なう宝くじ券管理装置（抽せん券管理装置）１１である。そして、販売元１は、宝くじ券を１０枚ずつ袋につめ、また１００袋を１束にまとめ、さらに１０束を１つの箱に梱包して宝くじ売場に宝くじ券を配送する。ここで１箱の宝くじ券の枚数は１万枚となる。また宝くじ券管理装置１１は、他の装置と情報の送受信を行なう送受信部１１１と、各種処理を行なう処理部（配送先識別情報通知手段、受け取り状況情報書換え手段、販売情報書換え手段、不足配送先検出手段、振り替え手段、当せん照合手段、売れ残り抽せん券通知手段）１１２と、データベース（配送管理情報記憶手段、受け取り状況情報記憶手段、販売情報記憶手段、当せん情報記憶手段）１１３とを備えている。
【００３３】
また販売元１において符号１２は、宝くじ券の袋や束や、宝くじ券の梱包された箱にＩＣタグを取り付けるＩＣタグ取り付け装置である。また１３は、宝くじ券が梱包ミスなどなく梱包されているか否かを検査する梱包検査装置１３である。また１４は、宝くじ券に埋め込まれたＩＣチップや、宝くじ券の袋や束や箱に添付されたＩＣタグに、配送先の宝くじ売場の情報を書き込む配送先書き込み装置１４である。また１５は、宝くじ売場から返送された売れ残り宝くじ券の袋や束に取り付けられたＩＣタグの情報を読み取って、宝くじ券管理装置１１に登録する残券処理装置である。また１６は、宝くじ売場において当せん金を支払った宝くじ券に取り付けられたＩＣチップの情報を読み取って、当せん金支払済みの宝くじ券が宝くじ売場から返送してきた旨を宝くじ券管理装置１１に登録する清算処理装置である。
【００３４】
また売場端末２において、符号２１は販売元１より配送された宝くじ券が、配送ミスや梱包ミスなく配送されてきたかを確認する受け入れ処理部（配送先識別情報通知要求手段、配送先確認手段、受け取り状況情報書換え指示手段）である。また２２は販売した宝くじ券の情報を宝くじ券管理装置１１へ送信する販売処理部（販売抽せん券通知手段）である。また２３は販売されずに余っている宝くじ券を他の宝くじ売場へ振り替える処理を行なう振り替え処理部（売れ残り情報通知手段）である。また２４は当せんした宝くじ券の当せん照合を行なう当せん照合処理部（当せん照合依頼通知手段）である。また製造元３において符号３１は宝くじ券の製造と、当該宝くじ券に埋め込まれたＩＣチップに抽せん番号の宝くじ券の属性情報を書き込む証票製造装置である。また、販売元１で有している上述のＩＣタグ取り付け装置１２、梱包検査装置１３、配送先書き込み装置１４、残券処理装置１５、清算処理装置１６はリーダ・ライタに接続されており、また売場端末２にもリーダ・ライタが接続されている。
【００３５】
そして、販売元１においてＩＣタグ取り付け装置１２が、宝くじ券の袋などの販売単位ごとや、当該袋を数袋まとめた束などの梱包単位ごとや、宝くじ券を管理するための管理単位ごとにＩＣタグを取り付ける。そして販売元１の担当者が宝くじ券の束を箱に梱包し、またＩＣタグ取り付け装置１２が当該箱にＩＣタグを取り付け、配送先書き込み装置１４のリーダ・ライタが、ＩＣタグに配送先の情報を記録する。また販売元１の担当者は箱を宝くじ売場へ配送する。また宝くじ売場において、販売員の操作に基づいて、リーダ・ライタ（配送先読み取り手段、抽せん券属性情報読み取り手段）が箱に梱包されている宝くじ券の袋や束に取り付けられたＩＣタグから、当該ＩＣタグに記録されている各情報を読み取る。そして売場端末２の受け入れ処理部２１が、リーダ・ライタの読み取った情報と、宝くじ券管理装置１１で保持する管理情報テーブルの情報とに基づいて、配送先に間違いがなく宝くじ券が配送されているか否かや、ミス無く梱包されているかなどを確認する。
【００３６】
ここでＩＣチップは、演算処理を行なうＣＰＵ（Central Processing Unit）や、ＯＳが格納されており書換えが不可能なマスクＲＯＭ（Read Only Memory）や、データの書換えが可能なＥＥＰＲＯＭ（Electrically Erasable Programmable Read Only Memory）やアンテナなどを内蔵した極小のチップである。そしてこのＩＣチップは、リーダ・ライタと呼ばれるデータの読み書き装置と電波を利用して情報のやり取りを行なう。そしてＩＣチップは、リーダ・ライタから電波を用いて送信された情報を例えばＥＥＰＲＯＭに記憶させることができる。また上述のＩＣタグとはＩＣチップを内蔵した札（タグ）のことである。そしてリーダ・ライタは、宝くじ券に埋め込まれたＩＣチップや、宝くじ券の袋や束に取り付けられたＩＣタグとは、電波を利用して非接触で情報の読み書きを行なう。なお、リーダ・ライタは異なるＩＣチップそれぞれに記録されている情報を一度に読み込むことができる。リーダ・ライタは発信する電波特性（周波数など）によって非接触でＩＣチップとの情報の送受信ができる距離が異なるが、本実施形態においては、リーダ・ライタからＩＣチップに電波が届き、またＩＣチップの発信する電波がリーダ・ライタに届く範囲（例えば１ｍ程度の離れた距離）であればＩＣチップとの情報の送受信ができるものとする。したがって、本実施形態においては、リーダ・ライタは箱を開封せずに、梱包された宝くじ券の袋や束に取り付けられたＩＣタグや、宝くじ券に埋め込まれたＩＣチップから情報を読み取る。尚、上述した販売単位とは宝くじ券の販売単位であり、例えば、販売単位は宝くじ券１枚ごとの単位であっても、宝くじ券が１０枚詰められた袋ごとの単位であっても良い。また梱包単位とは宝くじ券を配送する箱に梱包する単位であり、例えば梱包単位は、箱の中に梱包された宝くじ券の束ごとの単位であっても、箱ごとの単位であっても良い。また管理単位とは宝くじ券を管理するための単位であり、例えば管理単位とは、宝くじ券が１０枚詰められた袋ごとの単位であっても、宝くじ券の束ごとの単位であっても、宝くじ券の梱包された箱ごとの単位であっても良い。
【００３７】
次に、宝くじ券管理装置１１のデータベース１１３で記憶するデータについて説明する。図２は管理情報テーブルのデータ構造を示す図である。この管理情報テーブルは、宝くじ券のブロックコード、回号、ユニット番号、梱包組番号、箱番号、束番号、袋番号、組と抽せん番号、配送先、受け取り済み情報（受け取り状況情報）、販売済み情報（販売情報）、残券情報、支払済み券返却情報とを対応付けたテーブルである。ここで、ブロックコードとは販売地域を特定する番号である。また回号とは、特定種類の宝くじ券の販売回数を表す番号である。またユニット番号とは、例えばある宝くじ券の組番号が０１組から１００組まで合った場合に、０１組から１００組までを１つのユニットとして決定する番号である。なお１つの組には「１０００００」〜「１９９９９９」の１０万種類のうちのいずれかの抽せん番号が割り当てられる。また袋番号は宝くじ券を１０枚ずつ袋に詰めた時の各袋の番号を示すものであり、また束番号は１００袋を１束として、当該１束ごとに割り当てられる番号である。そして箱番号は１０束を１箱として、当該１箱ごとに割り当てられる。したがって、１箱には、１０束＝１００００枚の宝くじ券が梱包されることになる。また梱包組番号は各箱に梱包された組の番号を示すものであり、梱包されている宝くじ券が０１組の番号を有するものである場合には梱包組番号は「００１」となる。
【００３８】
また受け取り済み情報とは、販売元１の配送した宝くじ券が宝くじ売場で受け取られたか否かを示す情報であり、当該受け取り済み情報が「０」である場合には宝くじ売場で受け取られていないことを示し、「１」である場合には宝くじ売場で宝くじ券を受け取り完了したことを示している。また販売済み情報とは、宝くじ売場で宝くじ券が販売されたか否かを示す情報であり、当該販売済み情報が「０」である場合には未販売を示し、「１」である場合には販売済みを示している。また残券情報は、宝くじ売場で販売されずに売れ残った宝くじ券を示す情報であり、残券情報が「１」の場合に売れ残りを示す。また支払済み券返却情報は、当せん金を支払った当せん宝くじ券が販売元１に返却されたか否かを示す情報であり、支払済み券返却情報が「１」の場合に返却された旨を示す。
【００３９】
また図３は当せん情報テーブルのデータ構造を示す図である。この図が示すように当せん情報テーブルには、ブロックコード、回号、ユニット番号、組と抽せん番号、等級（当せん情報）、当せん金額、支払済み情報が記録されている。なお、支払済み情報とは宝くじ売場などで当せん金が支払われたか否かを示す情報であり、支払済み情報が「０」である場合には支払われていない旨を示し、「１」であれば支払済みである旨を示している。
【００４０】
次に、ＩＣチップに記録されるデータについて説明する。図４は宝くじ券に埋め込まれたＩＣチップに記録されるデータの構造を示す図である。この図が示すように、宝くじ券に埋め込まれたＩＣチップには、ブロックコード、回号、ユニット番号、組番号、抽せん番号、配送先が記録される。なお、宝くじ券の製造過程においては、配送先以外の情報がＩＣチップに記録され、配送先の情報（配送先識別情報）は販売元１が宝くじ券を配送する際に記録するものとする。また図５は宝くじ券の束に取り付けられたＩＣタグの記憶するデータの構造を示す図である。この図が示すように、宝くじの束に取り付けられるＩＣタグには、ブロックコード、回号、ユニット番号、梱包組番号、箱番号、束番号、配送先が記録される。また図６は箱に取り付けられたＩＣタグの記憶するデータの構造を示す図である。この図が示すように、箱に取り付けられるＩＣタグには、ブロックコード、回号、ユニット番号、梱包組番号、箱番号、配送先が記録される。
【００４１】
次に、宝くじ券が配送される際の処理について説明する。
まず、予め宝くじ券管理装置１１のデータベース１１３には販売元１の担当者が作成した管理情報テーブルが記録されている。この時、管理情報テーブルには配送先の情報以外の宝くじ券ごとの各属性情報（ブロックコード、回号、ユニット番号、組番号、抽せん番号）が記録されている。そして宝くじ券の製造過程において、製造元３の証票製造装置３１は、宝くじ券管理装置１１から宝くじ券１枚１枚の属性情報（図４で示した情報のうち配送先以外の各情報）を受信し、当該受信した属性情報を宝くじ券に印字し、またその受信した属性情報を宝くじ券に埋め込まれたＩＣチップに書き込む。次に、販売元１の担当者が、製造元３で製造された宝くじ券を箱に梱包する。この時、販売元１は、上述の管理情報テーブルで示されているように、宝くじ券の示すユニット番号や組番号や抽せん番号の順番で、１０枚の宝くじ券を１袋に詰め、１００袋の宝くじ券を１束にまとめる。
【００４２】
次に、販売元１の担当者の操作に基づいて、リーダ・ライタを備えたＩＣタグ取り付け装置１２が、束にまとめた各宝くじ券のブロックコードと回号とユニット番号と梱包組番号と箱番号と束番号をＩＣタグに記録し、当該ＩＣタグを束に取り付ける。そして、販売元１の担当者は、ブロックコードと回号とユニット番号と梱包組番号と箱番号が同一の各宝くじ券の束を同一の箱に梱包する。また、販売元１の担当者の操作に基づいて、ＩＣタグ取り付け装置１２が、箱に詰めた各宝くじ券に共通するブロックコードと回号とユニット番号と梱包組番号と箱番号とをＩＣタグに記録し、当該ＩＣタグを箱に取り付ける。
【００４３】
次に、販売元１の担当者は、梱包検査装置１３を操作して、箱に梱包された宝くじ券が間違いなく梱包されているかを確認する。この時、梱包検査装置１３に備えられたリーダ・ライタは販売元１の担当者の操作に基づいて、箱に梱包されている各束に取り付けられたＩＣタグからブロックコードと回号とユニット番号と梱包組番号と箱番号と束番号とを読み取る。また梱包検査装置１３に備えられたリーダ・ライタは箱に取り付けられたＩＣタグからブロックコードと回号とユニット番号と梱包組番号と箱番号とを読み取る。そして梱包検査装置１３は、箱に取り付けられたＩＣタグから読み取ったブロックコードと回号とユニット番号と梱包組番号と箱番号とに対応する束番号を返信するよう宝くじ券管理装置１１通知する。すると宝くじ券管理装置１１は、箱のＩＣタグに記録されている、ブロックコードと回号とユニット番号と梱包組番号と箱番号に対応する複数の束番号を梱包検査装置１３に通知する。すると梱包検査装置１３は、宝くじ券管理装置１１から通知を受けた束番号と箱のＩＣタグから読み取ったブロックコードと回号とユニット番号と梱包組番号と箱番号との組合せが、箱に梱包されている束のＩＣタグそれぞれから読み取ったブロックコードと回号とユニット番号と梱包組番号と箱番号と束番号の組合せと同じであれば、全ての宝くじ券の束が間違いなく梱包されていると判断する。
【００４４】
次に、販売元１の担当者は、宝くじ券の箱ごとに配送先を決定し、当該決定した配送先の情報を配送先書き込み装置１４に入力する。また、販売元１の担当者の操作に基づいて、配送先書き込み装置１４に備えられたリーダ・ライタが、箱に取り付けられたＩＣタグの情報を読み取る。すると配送先書き込み装置１４は、リーダ・ライタが箱のＩＣタグから読み取ったブロックコードと回号とユニット番号と梱包組番号と箱番号の情報と、販売元１の担当者から入力を受け付けた配送先の情報を宝くじ券管理装置１１に送信する。そして、宝くじ券管理装置１１の処理部１１２は、配送先書き込み装置１４から受信したブロックコードと回号とユニット番号と梱包組番号と箱番号の組合せに対応づけて、配送先書き込み装置１４から受信した配送先の情報をデータベース１１３の管理情報テーブルに書き込む。また、販売元１の担当者の操作に基づいて、配送先書き込み装置１４のリーダ・ライタが、箱のＩＣタグと箱に梱包された束のＩＣタグに配送先の情報を記録する。また、販売元１の担当者の操作に基づいて、配送先書き込み装置１４のリーダ・ライタが、箱に梱包された宝くじ券に埋め込まれているＩＣチップへ配送先の情報を書き込む。そして、販売元１の担当者は、宝くじ券の梱包された箱を配送先の宝くじ売場に配送する。
なお、箱に梱包された宝くじ券が間違いなく梱包されているかを確認する上述の方法は、梱包された宝くじ券の束に取り付けられたＩＣタグと箱に取り付けられたＩＣタグの情報を用いているが、宝くじ券１枚１枚に埋め込まれたＩＣチップの情報を用いて、全ての宝くじ券が箱に梱包されているかを確認するようにしてもよいし、また宝くじ券が１０枚づつ入れられる袋にＩＣタグを取り付け、当該袋に取り付けられたＩＣタグの情報により、袋単位により、全ての袋が問題なく梱包されているか否かを確認するようにしてもよい。
【００４５】
次に、宝くじ売場において、宝くじ券の梱包された箱を受け取る際の売場端末と宝くじ券管理装置の処理について図７を用いて説明する。図７は宝くじ券管理システムの第１の処理フローを示す図である。
まず、宝くじ売場の販売員の操作に基づいて、売場端末２に備えられているリーダ・ライタが、箱の中の各宝くじ券の束に取り付けられているＩＣタグから各束のブロックコードと回号とユニット番号と梱包組番号と箱番号と束番号と配送先とを読み取り（ステップＳ１）、また箱に取り付けられているＩＣタグからブロックコードと回号とユニット番号と梱包組番号と箱番号と配送先とを読み取る（ステップＳ２）。そしてリーダ・ライタは各束のＩＣタグから読み取ったブロックコードと回号とユニット番号と梱包組番号と箱番号と束番号と配送先と、箱のＩＣタグから読み取ったブロックコードと回号とユニット番号と梱包組番号と箱番号と配送先とを受け入れ処理部２１に送信する（ステップＳ３）。すると、受け入れ処理部２１は、各束のＩＣタグから読み取ったブロックコードと回号とユニット番号と梱包組番号と箱番号と配送先の組合せが、箱のＩＣタグから読み取ったブロックコードと回号とユニット番号と梱包組番号と箱番号と配送先の組合せと一致するか否かを確認する（ステップＳ４）。ここで、箱の中の全ての束のブロックコードと回号とユニット番号と梱包組番号と箱番号と配送先の組合せが一致していない場合には受け入れ処理部２１は、箱の中に、梱包されるはずのない宝くじ券の束が梱包されている旨をモニタなどに表示する。
【００４６】
また受け入れ処理部２１は、箱の中の全ての束のブロックコードと回号とユニット番号と梱包組番号と箱番号と配送先とが一致する場合には、次に、箱のＩＣタグから読み取ったブロックコードと回号とユニット番号と梱包組番号と箱番号に対応付けられて管理情報テーブルに記録されている配送先の情報を通知するよう、宝くじ券管理装置１１に指示する（ステップＳ５）。すると宝くじ券管理装置１１の処理部１１２はデータベース１１３の管理情報テーブルから、売場端末２より通知を受けたブロックコードと回号とユニット番号と梱包組番号と箱番号に対応する配送先の情報を読み取って、返信する（ステップＳ６）。そして、売場端末２の受け入れ処理部２１は、宝くじ券管理装置１１から受信した配送先の情報が、箱のＩＣタグから読み取った配送先の情報と一致する場合には、配送ミスなく宝くじ券が配送されていると判断し（ステップＳ７）、箱のＩＣタグから読み取ったブロックコードと回号とユニット番号と梱包組番号と箱番号と共に、受け入れ完了を宝くじ券管理装置１１へ通知する（ステップＳ８）。すると、宝くじ券管理装置１１の処理部１１２は受信したブロックコードと回号とユニット番号と梱包組番号と箱番号とに対応付けられてデータベース１１３の管理情報テーブルに記録されている受け取り済み情報を「０」から「１」に書き換える（ステップＳ９）。なお、宝くじ券の梱包された箱を受け取る際に宝くじ券が問題なく梱包されているか否かを確認する上述の方法は、束に取り付けられたＩＣタグの情報と箱に取り付けられたＩＣタグの情報に基づいて行なわれているが、宝くじ券１枚１枚に埋め込まれたＩＣチップや、宝くじ券の袋に取り付けられたＩＣタグに記録されている情報に基づいて、宝くじ券全てや、宝くじ券の袋全てが問題なく箱に梱包されているか否かを確認するようにしてもよい。
また、ステップＳ５からステップＳ７において、配送ミスなく宝くじ券が配送されているか否かを確認する別の方法として、例えば、売場端末２の受入れ処理部２１が、予め宝くじ券管理装置１１よりデータベース１１３で保持する管理情報テーブルの情報を記憶部に記憶しておき、ステップＳ２で読み取った情報の組合せが記憶部で保持する管理情報テーブルに記録されているか否かを確認するようにしてもよい。
また、ステップＳ５からステップＳ７において、配送ミスなく宝くじ券が配送されているか否かを確認する別の方法として、売場端末２の受入れ処理部（配送先確認要求手段）２１が、ステップＳ２において箱のＩＣタグから読み取ったブロックコードと回号とユニット番号と梱包組番号と箱番号と配送先とを宝くじ券管理装置１１に送信し、宝くじ券管理装置１１の処理部１１２が、売場端末２から受信した各情報の組合せがデータベース１１３で保持する管理情報テーブルに記録されている組合せと一致するか否かを確認するようにしても良い。
【００４７】
次に、宝くじ売場の販売員が宝くじ券を販売した場合の販売端末と宝くじ券管理装置の処理について図８を用いて説明する。図８は宝くじ券管理システムの第２の処理フローを示す図である。
まず、宝くじ券の販売員の操作に基づいて、売場端末２に備えられたリーダ・ライタが、販売する宝くじ券に埋め込まれたＩＣチップからブロックコード、回号、ユニット番号、組番号、抽せん番号を読み取り（ステップＳ１０）、販売処理部２２に送信する（ステップＳ１１）。すると販売処理部２２は、リーダ・ライタから受信した各情報を宝くじ券管理装置１１へ送信する（ステップＳ１２）。そして、宝くじ券管理装置１１において送受信部１１１が売場端末２からブロックコード、回号、ユニット番号、組番号、抽せん番号を受信し、処理部１１２が、データベース１１３で保持する管理情報テーブルにおいて、送受信部１１１の受信したブロックコード、回号、ユニット番号、組番号、抽せん番号に対応する販売済み情報を「０」から「１」に書き換える（ステップＳ１３）。なおリーダ・ライタは、宝くじ券に埋め込まれたＩＣチップそれぞれから情報を読み取るのではなく、宝くじ券の販売単位である袋に取り付けられたＩＣタグや、宝くじ券の束や箱に取り付けられたＩＣタグからリーダ・ライタを用いて情報を読み取って、その情報を宝くじ券管理装置１１へ送信するようにしても良い。また販売員の操作に基づいて、リーダ・ライタが、販売直前の宝くじ券のＩＣチップや袋に取り付けられたＩＣタグにｎｕｌｌデータを書き込んで、宝くじ券や袋のＩＣチップやＩＣタグに記録された情報を販売後に読めなくするようにしても良い。
【００４８】
また、宝くじ売場において販売員が宝くじ券を販売する際に、販売員の操作に基づいて、リーダ・ライタが宝くじ券に埋め込まれたＩＣチップそれぞれに、例えば、宝くじ売場の識別番号や、ユーザの名前や電話番号や暗証番号などユーザ属性情報を書き込むようにしても良い。これにより、従来は宝くじ券を回収しても、その宝くじが何処の売場で売られた宝くじ券かを管理システムに問い合わせなければ把握することが出来なかったが、宝くじ券のＩＣチップに宝くじ販売場所や購入者の情報を記録することができるようになるので、宝くじ券を回収した際に、その宝くじ券自体で当該宝くじ券が何処で販売されたかということが分かる。また、従来は宝くじを紛失してしまった場合、他人に不正に換金されてしまう場合があったが、ＩＣチップに記録された購入者の情報を読み取り、換金を求めている人の身分証明書などで照合させれば、換金を求めている人と購入者が一致しているかどうかを把握することができ、不正な換金（小額な場合でも）を防ぐことができる。
【００４９】
次に、ある宝くじ売場に配送された宝くじ券を別の宝くじ売場に振り替える場合の売場端末と宝くじ券管理装置の処理について図９を用いて説明する。図９は宝くじ券管理システムの第３の処理フローを示す図である。
まず、宝くじ券管理装置１１の処理部１１２が、データベース１１３で保持する管理情報テーブルにおいて、販売済み情報が全て「０」となっている売れ残り宝くじ券の束に共通の、ブロックコード、回号、ユニット番号、梱包組番号、箱番号、束番号の各情報を読み取り、それらの情報を送受信部１１１が売場端末２へ送信する（ステップＳ１４）。なお、このステップＳ１４においては、宝くじ券管理装置１１の処理部１１２が、データベース１１３で保持する管理情報テーブルにおいて、販売済み情報が全て「０」となっている売れ残り宝くじ券の束に共通のブロックコードと回号と、振り替える数量とを送信するだけでもよい。
【００５０】
宝くじ売場の販売員の操作に基づいて、売場端末２に備えられたリーダ・ライタが、売れ残った宝くじ券の束に取り付けられたＩＣタグから、宝くじ券管理装置１１より受信したブロックコード、回号、ユニット番号、梱包組番号、箱番号、束番号の情報を読み取る（ステップＳ１５）。すると、リーダ・ライタは売場端末２の振り替え処理部２３に読み取った各情報を送信する（ステップＳ１６）。そして振り替え処理部２３が、リーダ・ライタから受信したブロックコード、回号、ユニット番号、梱包組番号、箱番号、束番号の各情報を宝くじ券管理装置１１に送信する（ステップＳ１７）。次に宝くじ券管理装置１１の送受信部１１１が売場端末２からブロックコード、回号、ユニット番号、梱包組番号、箱番号、束番号の各情報を受信し、処理部１１２に転送する。次に、処理部１１２は、データベース１１３で保持する管理情報テーブルから、配送した宝くじ券の総数と、当該配送した宝くじ券の総数のうち販売済み情報が「１」になっている数を配送先ごとに確認する（ステップＳ１８）。そして処理部１１２は、販売済み情報が「１」となっている数が配送した総数のうちの９割（規定値）に達している配送先は、宝くじ券が足りない宝くじ売場であると決定する（ステップＳ１９）。そして、処理部１１２は、売場端末２から受信したブロックコード、回号、ユニット番号、梱包組番号、箱番号、束番号に対応する配送先の情報を、配送した宝くじ券のうちの９割が販売済みとなっている配送先の情報へと変更し配送先を振り替える（ステップＳ２０）。そして宝くじ券管理装置１１の処理部１１２は、送受信部１１１を介して売場端末２に振り替え先の配送先の情報を通知する（ステップＳ２１）。振り替え処理部２３は、宝くじ券管理装置１１から受信した、振り替え先の配送先をモニタに表示する。そして販売員は、振り替え先の配送先に基づいて、宝くじ券の束を他の宝くじ売場へ配送する。また、振り替え先において、振り替え先宝くじ売場の販売員の受入れ処理部２１の操作に基づいて、リーダ・ライタが振り替えられた宝くじ券の束に取り付けられたＩＣタグから各情報を読み取る、そして、その読み取った各情報が対応付けられてデータベース１１３に記録されているかを、受入れ処理部２１が宝くじ管理装置１１に問い合わせ、振り替えられた宝くじ券の束が問題なく配送されたか否かを確認する。
【００５１】
次に、宝くじ券の当せん照合を行なう際の売場端末と宝くじ券管理装置の処理について図１０を用いて説明する。図１０は宝くじ券管理システムの第４の処理フローを示す図である。
まず、宝くじ売場の販売員の操作に基づいて、売場端末２に備えられたリーダ・ライタが、換金のために購入者から受け取った宝くじ券のＩＣチップからブロックコード、回号、ユニット番号、組番号、抽せん番号の情報を読み取る（ステップＳ２２）。するとリーダ・ライタは読み取ったブロックコード、回号、ユニット番号、組番号、抽せん番号の情報を当せん照合処理部２４に送信する（ステップＳ２３）。次に当せん照合処理部２４は、リーダ・ライタから受信したブロックコード、回号、ユニット番号、組番号、抽せん番号の情報を宝くじ券管理装置１１に送信し、当せん照合指示を行なう（ステップＳ２４）
。すると、宝くじ券管理装置１１の処理部１１２は、データベース１１３で保持する当せん情報テーブルにおいて、売場端末２から受信したブロックコード、回号、ユニット番号、組番号、抽せん番号の情報が対応付けられて記録されているか否かを確認する（ステップＳ２５）。また処理部１１２は、データベース１１３で保持する管理情報テーブルにおいて、売場端末２から受信したブロックコード、回号、ユニット番号、組番号、抽せん番号の情報に対応する販売済み情報が「１」か「０」かを確認する（ステップＳ２６）。また処理部１１２は、データベース１１３で保持する当せん情報テーブルにおいて、売場端末２から受信したブロックコード、回号、ユニット番号、組番号、抽せん番号の情報に対応する支払済み情報が「１」か「０」かを確認する（ステップＳ２７）。そして処理部１１２は、売場端末２から受信したブロックコード、回号、ユニット番号、組番号、抽せん番号の情報が当せん情報テーブルに対応付けられて記録されており、また、売場端末２から受信した各情報に対応する販売済み情報が管理情報テーブルにおいて「１」であり、かつ支払済み情報が当せん情報テーブルにおいて「０」である場合に、当せん金が支払われていないと判断し、当該ブロックコード、回号、ユニット番号、組番号、抽せん番号の情報に対応する当せんの等級と当せん金額とを送受信部１１１を介して売場端末２へ送信する（ステップＳ２８）。
【００５２】
また処理部１１２は、売場端末２から受信したブロックコード、回号、ユニット番号、組番号、抽せん番号の情報が当せん情報テーブルに記録されていない場合には、当せんしていない旨の情報を売場端末２に送信する（ステップＳ２９）。また処理部１１２は、データベース１１３で保持する管理情報テーブルにおいて、売場端末２から受信したブロックコード、回号、ユニット番号、組番号、抽せん番号の情報に対応する販売済み情報が「０」を示す場合には、購入者が換金の為に宝くじ売場に持ち込んだ宝くじ券は、販売されていない宝くじ券である旨を示す情報を送受信部１１１を介して売場端末２に送信する（ステップＳ３０）。また処理部１１２は、データベース１１３で保持する当せん情報テーブルにおいて、売場端末２から受信したブロックコード、回号、ユニット番号、組番号、抽せん番号の情報に対応する支払済み情報が「１」を示す場合には、購入者が換金の為に宝くじ売場に持ち込んだ宝くじ券は、既に当せん金が支払済みである旨を示す情報を送受信部１１１を介して売場端末２に送信する（ステップＳ３１）。そして、売場端末２の当せん照合処理部２４はモニタに、当せんの等級や当せん金額を示す当せん情報や、当せんしていない旨を示す落せん情報や、宝くじ券が販売されていない旨を示す未販売情報や、既に当せん金が支払済みである旨の情報をモニタに表示する。
【００５３】
また、宝くじ売場の販売員は、宝くじ券が当せんしている場合には、当せん金を購入者に支払う。そして販売員は、当せん金を支払い終了処理をするよう売場端末２に指示する。すると当せん照合処理部２４が、当該当せん金支払い終了処理の指示を受け付け（ステップＳ３２）、当せん金を支払った宝くじ券のブロックコード、回号、ユニット番号、組番号、抽せん番号の情報を宝くじ券管理装置１１へ送信する（ステップＳ３３）。そして、宝くじ券管理装置１１の処理部１１２が、売場端末２から受信したブロックコード、回号、ユニット番号、組番号、抽せん番号の情報に対応付けられてデータベース１１３の当せん情報テーブルに記録されている支払済み情報を「０」から「１」に書き換える（ステップＳ３４）。
【００５４】
次に、売れ残った宝くじ券の残券処理をする際の宝くじ券管理装置１１の処理について説明する。
まず、宝くじ売場の担当者は、売れ残った宝くじ券を全て販売元１に配送する。すると販売元１の担当者の操作に基づいて、残券処理装置１５で備えているリーダ・ライタが、配送された各宝くじ券のＩＣチップからブロックコード、回号、ユニット番号、組番号、抽せん番号の情報を読み取る。次に残券処理装置１５はリーダ・ライタで読み取ったブロックコード、回号、ユニット番号、組番号、抽せん番号の情報の情報を宝くじ券管理装置１１に送信する。次に、宝くじ券管理装置１１の処理部１１２は、残券処理装置１５から受信したブロックコード、回号、ユニット番号、組番号、抽せん番号の情報に対応付けられてデータベース１１３の管理情報テーブルで記憶している残券情報を「０」から「１」に書き換える。これにより、宝くじ売場に配送された宝くじ券の情報が受け取り済み情報で確認でき、販売された宝くじ券の情報が販売済み情報で確認でき、また売れ残って販売元１に戻ってきた宝くじ券の情報が残券情報で確認できるので、管理情報テーブルのデータを照合すれば、宝くじ券が販売されていないにもかかわらず、販売元１に戻ってきていない宝くじ券の存在を確認することができる。また売れ残って販売元１に返送された宝くじ券が多い場合でも、リーダ・ライタを用いて一度に多くの宝くじ券のＩＣチップやＩＣタグから情報を読み取るので、販売元１の担当者の労力を軽減することができる。なお、販売元１の担当者の操作に基づいて、残券処理装置１５で備えているリーダ・ライタは、箱や束に取り付けられているＩＣタグから各情報を読み取るようにしても良い。
【００５５】
次に、宝くじ売場から返送された支払済みの宝くじ券を登録する際の宝くじ券管理装置１１の処理について説明する。
まず、宝くじ売場の担当者は当せん金を支払った宝くじ券を全て販売元１に返送する。次に、販売元１の担当者の操作に基づいて、清算処理装置１６で備えているリーダ・ライタが、配送された当せん金支払済みの宝くじ券のＩＣチップからブロックコード、回号、ユニット番号、組番号、抽せん番号の情報を読み取る。次に、清算処理装置１６はリーダ・ライタで読み取ったブロックコード、回号、ユニット番号、組番号、抽せん番号の情報の情報を宝くじ券管理装置１１に送信する。次に、宝くじ券管理装置１１の処理部１１２は、清算処理装置１６から受信したブロックコード、回号、ユニット番号、組番号、抽せん番号の情報に対応付けられてデータベース１１３の管理情報テーブルで記憶している支払済み券返却情報を「０」から「１」に書き換える。これにより、支払済みとなった宝くじ券が宝くじ売場から返送されたか否かを管理情報テーブルで確認することができる。
【００５６】
なお図１に示した各装置や売場端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００５７】
【図１】本発明の実施形態による宝くじ券管理システムの構成を示すブロック図である。
【図２】本実施形態による管理情報テーブルのデータ構造を示す図である。
【図３】本実施形態による当せん情報テーブルのデータ構造を示す図である。
【図４】本実施形態による宝くじ券に埋め込まれたＩＣチップに記録されるデータの構造を示す図である。
【図５】本実施形態による宝くじ券の束に取り付けられるＩＣタグが記憶するデータの構造を示す図である。
【図６】本実施形態による箱に取り付けられるＩＣタグが記憶するデータの構造を示す図である。
【図７】本実施形態による宝くじ券管理システムの第１の処理フローの図である。
【図８】本実施形態による宝くじ券管理システムの第２の処理フローの図である。
【図９】本実施形態による宝くじ券管理システムの第３の処理フローの図である。
【図１０】本実施形態による宝くじ券管理システムの第４の処理フローの図である。
【符号の説明】
【００５８】
１  販売元、２  売場端末、３  製造元、１１  宝くじ券管理装置、１２  ＩＣタグ取り付け装置、１３  梱包検査装置、１４  配送先書き込み装置、１５  残券処理装置、１６  清算処理装置、２１  受け入れ処理部、２２  販売処理部、２３  振り替え処理部、２４  当せん照合処理部、３１  証票製造装置、１１１  送受信部、１１２処理部、１１３  データベース
【図１】
2005107713.tif 000003
【図２】
2005107713.tif 000004
【図３】
2005107713.tif 000005
【図４】
2005107713.tif 000006
【図５】
2005107713.tif 000007
【図６】
2005107713.tif 000008
【図７】
2005107713.tif 000009
【図８】
2005107713.tif 000010
【図９】
2005107713.tif 000011
【図１０】
2005107713.tif 000012